(57)【要約】【課題】高機能なバッテリパック、電気機器本体、電気機器、充電器、及びシステムを提供する。【解決手段】バッテリパック１は、電気機器本体に接続可能である。バッテリパック１は、前記電気機器本体に電力を供給するよう構成された電力側ターミナル２１と、前記電気機器本体とは別の外部機器に接続可能であり、信号を出力又は入力可能な汎用インタフェースで構成された信号側ターミナル３１と、信号側ターミナル３１に接続され、信号側ターミナル３１と信号の入出力が可能に構成された制御部と、を有する。【選択図】図１
2020166988.tif 000002
【特許請求の範囲】
【請求項１】
電気機器本体及び／又は充電器に接続可能なバッテリパックであって、
複数のバッテリセルと、
前記複数のバッテリセルを収容するバッテリケースと、
前記複数のバッテリセルに電気的に接続され、前記電気機器本体及び／又は前記充電器に接続可能なバッテリ側電力インタフェースであって、前記電気機器本体に接続された場合には前記電気機器本体に前記複数のバッテリセルの電力を供給するよう構成され、及び／又は、前記充電器に接続された場合には前記充電器から前記複数のバッテリセルを充電するための電力の供給を受けるよう構成されたバッテリ側電力インタフェースと、
前記電気機器本体及び／又は前記充電器に接続可能なバッテリ側信号インタフェースであって、前記電気機器本体及び／又は前記充電器に接続された場合に、前記電気機器本体及び／又は前記充電器との間で信号を出力又は入力可能に構成されたバッテリ側信号インタフェースと、
前記複数のバッテリセル及び前記バッテリ側信号インタフェースに接続され、前記複数のバッテリセルから電力の供給を受けるとともに、前記バッテリ側信号インタフェースに対して信号を出力又は入力可能に構成されたバッテリ側制御部と、
を有し、
前記バッテリ側信号インタフェースは、汎用性のあるコンピュータである外部機器に対してケーブルを介して接続可能な汎用インタフェースを有し、前記外部機器に接続された場合に、前記外部機器との間で信号を出力又は入力可能に構成されたことを特徴とするバッテリパック。
【請求項２】
請求項１に記載された前記バッテリパックであって、
前記バッテリ側信号インタフェースは、前記ケーブルに接続可能な汎用インタフェースとして構成されたことを特徴とするバッテリパック。
【請求項３】
請求項１に記載された前記バッテリパックであって、
前記バッテリ側信号インタフェースは、
前記電気機器本体及び／又は前記充電器と接続可能に構成された第１のバッテリ側信号インタフェースと、
一端が前記第１のバッテリ側信号インタフェースに接続可能に構成され、他端が前記ケーブルに接続可能な汎用インタフェースで構成された第２のバッテリ側信号インタフェースと、
を有することを特徴とするバッテリパック。
【請求項４】
請求項１から請求項３のいずれか一項に記載された前記バッテリパックであって、
前記バッテリパックを前記電気機器本体に接続するときに前記バッテリパックを所定の接続方向に案内する一対の案内部が、前記バッテリケースの左右方向の両側に配置され、
前記バッテリ側電力インタフェースは、正極端子及び負極端子を互いに分離して配置して構成され、前記バッテリ側信号インタフェースは、複数の端子を一体的に配置して構成され、
前記バッテリケースは、前記バッテリ側電力インタフェースに対応して設けられた第１の複数のスロットと、前記バッテリ側信号インタフェースに対応して設けられた第２の単一のスロットとを有し、
前記第１の複数のスロットと前記第２の単一のスロットは、前記接続方向において前記電気機器本体に対向する側に配置されるとともに、前記バッテリケースの左右方向において互いに並ぶように配置されたことを特徴とするバッテリパック。
【請求項５】
請求項１から請求項４のいずれか一項に記載された前記バッテリパックであって、
前記バッテリ側信号インタフェースに含まれる汎用インタフェースは、ＵＳＢインタフェースとして構成されることを特徴とするバッテリパック。
【請求項６】
請求項１から請求項５のいずれか一項に記載された前記バッテリパックであって、
前記電気機器本体に電力を供給するよう構成された前記バッテリ側電力インタフェースとは別に、充電器から電力の供給を受けるよう構成されたバッテリ側充電インタフェースを有することを特徴とするバッテリパック。
【請求項７】
請求項１から請求項６のいずれか一項に記載された前記バッテリパックであって、
前記バッテリパックが充電器に接続された場合に、前記充電器から冷却風が供給されるよう構成されたバッテリ側吸気口と、前記吸気口から供給された冷却風を排出するよう構成されたバッテリ側排気口と、を有し、
前記バッテリ側吸気口から前記バッテリ側信号インタフェースまでの距離を、前記バッテリ側排気口から前記バッテリ側信号インタフェースまでの距離よりも大きくなるよう構成したことを特徴とするバッテリパック。
【請求項８】
請求項１から請求項７のいずれか一項に記載された前記バッテリパックを接続可能な前記電気機器本体であって、
前記バッテリ側電力インタフェースに接続可能であり、前記バッテリ側電力インタフェースに接続された場合に、前記バッテリパックから電力の供給を受けるよう構成された本体側電力インタフェースと、
前記バッテリ側信号インタフェースに接続可能であり、前記バッテリ側信号インタフェースに接続された場合に、前記バッテリパックとの間で信号を出力又は入力可能に構成された本体側信号インタフェースと、
前記本体側信号インタフェースに接続され、前記本体側信号インタフェースとの間で信号を出力又は入力可能に構成された本体側制御部と、
を有することを特徴とする電気機器本体。
【請求項９】
請求項１から請求項７のいずれか一項に記載された前記バッテリパックと、
請求項８に記載された前記電気機器本体と、
を有することを特徴とする電気機器。
【請求項１０】
請求項８に記載された前記電気機器本体と、
請求項１から請求項７のいずれか一項に記載された前記バッテリパックと、
前記バッテリ側信号インタフェースに一端が接続されるケーブルと、
前記ケーブルの他端に接続されて、前記バッテリパックとの間で信号を出力又は入力可能に構成された汎用インタフェースを備えた前記外部機器と、
を有するシステムであって、
前記バッテリパックが前記電気機器本体に接続された場合に、前記バッテリ側信号インタフェースは前記本体側信号インタフェースに接続され、前記バッテリパックは前記バッテリ側信号インタフェース及び前記本体側信号インタフェースを介して前記電気機器本体との間で信号を出力又は入力可能に構成され、
前記バッテリパックが前記電気機器本体から外され、前記バッテリパックが前記ケーブルを介して前記外部機器に接続された場合に、前記バッテリ側信号インタフェースは前記ケーブルを介して前記外部機器の汎用インタフェースに接続され、前記バッテリパックは前記バッテリ側信号インタフェース、前記ケーブル及び前記外部機器の汎用インタフェースを介して前記外部機器との間で信号を出力又は入力可能に構成される、
ことを特徴とするシステム。
【請求項１１】
請求項１０に記載されたシステムであって、
前記バッテリパックと前記電気機器本体が接続されているときに前記バッテリパックと前記電気機器本体との間で出力又は入力される信号は、前記バッテリパックと前記外部機器が接続されていたときに前記バッテリパックと前記外部機器との間で出力又は入力された信号に応じて前記バッテリ側制御部が出力又は入力する信号であり、及び／又は、
前記バッテリパックと前記外部機器が接続されているときに前記バッテリパックと前記外部機器との間で出力又は入力される信号は、前記バッテリパックと前記電気機器本体が接続されているときに前記バッテリパックと前記電気機器本体との間で出力又は入力された信号に応じて前記バッテリ側制御部が出力又は入力する信号である、
ことを特徴とするシステム。
【請求項１２】
請求項１０又は請求項１１のいずれか一項に記載されたシステムであって、
前記電気機器本体又は前記バッテリパックから出力される信号は、前記電気機器本体又は前記バッテリパックの状態を示す情報を構成する信号であり、前記外部機器は前記バッテリパックの状態を示す情報を表示又は報知するよう構成され、及び／又は、
前記外部機器から出力される信号は、前記電気機器本体又は前記バッテリパックの動作を変更するためのソフトウェア又は設定パラメータを構成する信号であり、前記電気機器本体又は前記バッテリパックは入力された前記ソフトウェア又は設定パラメータに応じて動作するよう構成される、
ことを特徴とするシステム。
【請求項１３】
請求項１から請求項７のいずれか一項に記載された前記バッテリパックを接続可能な充電器であって、
前記バッテリ側電力インタフェース及び／又は前記バッテリ側充電インタフェースに接続可能であり、前記バッテリ側電力インタフェース及び／又はバッテリ側充電インタフェースに接続された場合に、前記バッテリパックに充電用の電力を供給可能に構成された充電器側電力インタフェースと、
前記バッテリ側信号インタフェースに接続可能であり、前記バッテリ側信号インタフェースに接続された場合に、前記バッテリパックとの間で信号を出力又は入力可能に構成された充電器側信号インタフェースと、
商用電源に接続可能であり、商用電源から入力されたＡＣ電力をＤＣ電力に変換して出力するよう構成されたＡＣ／ＤＣ変換部と、
前記ＡＣ／ＤＣ変換部から出力されたＤＣ電力を、前記バッテリパックの充電に適した電圧のＤＣ電力に変換するＤＣ／ＤＣ変換部と、
前記充電器側信号インタフェースに接続され、前記充電器側信号インタフェースとの間で信号を出力又は入力可能に構成されるとともに、前記ＡＣ／ＤＣ変換部及び／又は前記ＤＣ／ＤＣ変換部に接続され、前記充電器側信号インタフェースから入力された信号に応じて前記ＡＣ／ＤＣ変換部及び／又は前記ＤＣ／ＤＣ変換部を制御するよう構成される充電器側制御部と、
を有し、
前記充電器側信号インタフェースは、前記バッテリ側信号インタフェースに接続可能な汎用インタフェースで構成されることを特徴とする充電器。
【請求項１４】
請求項１から請求項７のいずれか一項に記載された前記バッテリパックと、
請求項１３に記載された前記充電器と、
を有することを特徴とするシステム。
【発明の詳細な説明】
【技術分野】
【０００１】
本発明は、バッテリパック及びそれを接続可能な電気機器本体、バッテリパックと電気機器本体とを有する電気機器、バッテリパックを充電する充電器、並びにバッテリパックを有するシステムに関する。
【背景技術】
【０００２】
下記特許文献１は、電動工具用のバッテリパックに関する。このバッテリパックは、電子機器を充電するためのＵＳＢ充電用出力ポートを備える。
【先行技術文献】
【特許文献】
【０００３】
【特許文献１】米国特許出願公開第２０１４／００４２９７０号明細書
【発明の概要】
【発明が解決しようとする課題】
【０００４】
特許文献１のバッテリパックは、ＵＳＢポートを備えるものの、このＵＳＢポートは充電用出力専用のため、高機能化の観点で改善の余地があった。
【０００５】
本発明はこうした状況を認識してなされたものであり、その目的は、高機能なバッテリパック、電気機器本体、電気機器、充電器、及びシステムを提供することにある。
【課題を解決するための手段】
【０００６】
本発明のある態様は、
電気機器本体及び／又は充電器に接続可能なバッテリパックであって、
複数のバッテリセルと、
前記複数のバッテリセルを収容するバッテリケースと、
前記複数のバッテリセルに電気的に接続され、前記電気機器本体及び／又は前記充電器に接続可能なバッテリ側電力インタフェースであって、前記電気機器本体に接続された場合には前記電気機器本体に前記複数のバッテリセルの電力を供給するよう構成され、及び／又は、前記充電器に接続された場合には前記充電器から前記複数のバッテリセルを充電するための電力の供給を受けるよう構成されたバッテリ側電力インタフェースと、
前記電気機器本体及び／又は前記充電器に接続可能なバッテリ側信号インタフェースであって、前記電気機器本体及び／又は前記充電器に接続された場合に、前記電気機器本体及び／又は前記充電器との間で信号を出力又は入力可能に構成されたバッテリ側信号インタフェースと、
前記複数のバッテリセル及び前記バッテリ側信号インタフェースに接続され、前記複数のバッテリセルから電力の供給を受けるとともに、前記バッテリ側信号インタフェースに対して信号を出力又は入力可能に構成されたバッテリ側制御部と、
を有し、
前記バッテリ側信号インタフェースは、汎用性のあるコンピュータである外部機器に対してケーブルを介して接続可能な汎用インタフェースを有し、前記外部機器に接続された場合に、前記外部機器との間で信号を出力又は入力可能に構成されたことを特徴とするバッテリパックである。
上記態様のバッテリパックによれば、汎用インタフェースで構成されたバッテリ側信号インタフェースによって、電気機器本体及び／又は充電器との通信が可能であり、さらに同じバッテリ側信号インタフェースによって、汎用性のあるコンピュータである外部機器との通信も可能となる。よって通信に必要となるインタフェースの数を抑えながら、高機能なバッテリパックを提供することができる。
【０００７】
前記バッテリ側信号インタフェースは、前記ケーブルに接続可能な汎用インタフェースとして構成されてもよい。
【０００８】
前記バッテリ側信号インタフェースは、
前記電気機器本体及び／又は前記充電器と接続可能に構成された第１のバッテリ側信号インタフェースと、
一端が前記第１のバッテリ側信号インタフェースに接続可能に構成され、他端が前記ケーブルに接続可能な汎用インタフェースで構成された第２のバッテリ側信号インタフェースと、
を有してもよい。
【０００９】
前記バッテリパックは、
前記バッテリパックを前記電気機器本体に接続するときに前記バッテリパックを所定の接続方向に案内する一対の案内部が、前記バッテリケースの左右方向の両側に配置され、
前記バッテリ側電力インタフェースは、正極端子及び負極端子を互いに分離して配置して構成され、前記バッテリ側信号インタフェースは、複数の端子を一体的に配置して構成され、
前記バッテリケースは、前記バッテリ側電力インタフェースに対応して設けられた第１の複数のスロットと、前記バッテリ側信号インタフェースに対応して設けられた第２の単一のスロットとを有し、
前記第１の複数のスロットと前記第２の単一のスロットは、前記接続方向において前記電気機器本体に対向する側に配置されるとともに、前記バッテリケースの左右方向において互いに並ぶように配置して構成してもよい。
【００１０】
前記バッテリパックは、
前記バッテリ側信号インタフェースに含まれる汎用インタフェースは、ＵＳＢインタフェースとして構成されることを特徴とするバッテリパック。
【００１１】
前記バッテリ側電力インタフェースは、正極端子及び負極端子を互いに分離して配置して構成され、前記バッテリ側信号インタフェースは、複数の端子を一体的に配置して構成され、
前記バッテリケースは、前記バッテリ側電力インタフェースに対応して設けられた第１の複数のスロットと、前記バッテリ側信号インタフェースに対応して設けられた第２の単一のスロットとを有し、
前記第１の複数のスロットと前記第２の単一のスロットは互いに同じ側を向くように配置されてもよい。
【００１２】
前記バッテリパックは、
前記電気機器本体に電力を供給するよう構成された前記バッテリ側電力インタフェースとは別に、充電器から電力の供給を受けるよう構成されたバッテリ側充電インタフェースを有してもよい。
【００１３】
前記バッテリパックは、
前記バッテリパックが充電器に接続された場合に、前記充電器から冷却風が供給されるよう構成されたバッテリ側吸気口と、前記吸気口から供給された冷却風を排出するよう構成されたバッテリ側排気口と、を有し、
前記バッテリ側吸気口から前記バッテリ側信号インタフェースまでの距離を、前記バッテリ側排気口から前記バッテリ側信号インタフェースまでの距離よりも大きくなるよう構成してもよい。
【００１４】
前記バッテリパックは、
前記電気機器本体に電力を供給するよう構成された前記バッテリ側電力インタフェースとは別に、充電器から電力の供給を受けるよう構成されたバッテリ側充電インタフェースを有するよう構成してもよい。
【００１５】
前記バッテリパックは、
前記バッテリパックが充電器に接続された場合に、前記充電器から冷却風が供給されるよう構成されたバッテリ側吸気口と、前記吸気口から供給された冷却風を排出するよう構成されたバッテリ側排気口と、を有し、
前記バッテリ側吸気口から前記バッテリ側信号インタフェースまでの距離を、前記バッテリ側排気口から前記バッテリ側信号インタフェースまでの距離よりも大きくなるよう構成してもよい。
【００１６】
本発明の別の態様は、
前記バッテリパックを接続可能な前記電気機器本体であって、
前記バッテリ側電力インタフェースに接続可能であり、前記バッテリ側電力インタフェースに接続された場合に、前記バッテリパックから電力の供給を受けるよう構成された本体側電力インタフェースと、
前記バッテリ側信号インタフェースに接続可能であり、前記バッテリ側信号インタフェースに接続された場合に、前記バッテリパックとの間で信号を出力又は入力可能に構成された本体側信号インタフェースと、
前記本体側信号インタフェースに接続され、前記本体側信号インタフェースとの間で信号を出力又は入力可能に構成された本体側制御部と、
を有することを特徴とする電気機器本体である。
【００１７】
本発明の別の態様は、
前記バッテリパックと、
前記電気機器本体と、
を有することを特徴とする電気機器である。
【００１８】
本発明の別の態様は、
前記電気機器本体と、
前記バッテリパックと、
前記バッテリ側信号インタフェースに一端が接続されるケーブルと、
前記ケーブルの他端に接続されて、前記バッテリパックとの間で信号を出力又は入力可能に構成された汎用インタフェースを備えた前記外部機器と、
を有するシステムであって、
前記バッテリパックが前記電気機器本体に接続された場合に、前記バッテリ側信号インタフェースは前記本体側信号インタフェースに接続され、前記バッテリパックは前記バッテリ側信号インタフェース及び前記本体側信号インタフェースを介して前記電気機器本体との間で信号を出力又は入力可能に構成され、
前記バッテリパックが前記電気機器本体から外され、前記バッテリパックが前記ケーブルを介して前記外部機器に接続された場合に、前記バッテリ側信号インタフェースは前記ケーブルを介して前記外部機器の汎用インタフェースに接続され、前記バッテリパックは前記バッテリ側信号インタフェース、前記ケーブル及び前記外部機器の汎用インタフェースを介して前記外部機器との間で信号を出力又は入力可能に構成される、
ことを特徴とするシステムである。
上記態様のシステムによれば、汎用インタフェースで構成されたバッテリ側インタフェースを有するバッテリパックは、電気機器本体と接続された場合には電気機器本体との間で通信が可能となり、電気機器本体から外され、ケーブルを介して外部機器に接続された場合には、前記外部機器との間で通信が可能となる。よって通信に必要となるインタフェースの数を抑えながら、高機能なシステムを提供することができる。
【００１９】
前記システムは、
前記バッテリパックと前記電気機器本体が接続されているときに前記バッテリパックと前記電気機器本体との間で出力又は入力される信号は、前記バッテリパックと前記外部機器が接続されていたときに前記バッテリパックと前記外部機器との間で出力又は入力された信号に応じて前記バッテリ側制御部が出力又は入力する信号であり、及び／又は、
前記バッテリパックと前記外部機器が接続されているときに前記バッテリパックと前記外部機器との間で出力又は入力される信号は、前記バッテリパックと前記電気機器本体が接続されているときに前記バッテリパックと前記電気機器本体との間で出力又は入力された信号に応じて前記バッテリ側制御部が出力又は入力する信号である、
ように構成してもよい。
【００２０】
前記システムは、
前記電気機器本体又は前記バッテリパックから出力される信号は、前記電気機器本体又は前記バッテリパックの状態を示す情報を構成する信号であり、前記外部機器は前記バッテリパックの状態を示す情報を表示又は報知するよう構成され、及び／又は、
前記外部機器から出力される信号は、前記電気機器本体又は前記バッテリパックの動作を変更するためのソフトウェア又は設定パラメータを構成する信号であり、前記電気機器本体又は前記バッテリパックは入力された前記ソフトウェア又は設定パラメータに応じて動作するよう構成されてもよい。
【００２１】
本発明の別の態様は、
前記バッテリパックを接続可能な充電器であって、
前記バッテリ側電力インタフェース及び／又は前記バッテリ側充電インタフェースに接続可能であり、前記バッテリ側電力インタフェース及び／又はバッテリ側充電インタフェースに接続された場合に、前記バッテリパックに充電用の電力を供給可能に構成されたな充電器側電力インタフェースと、
前記バッテリ側信号インタフェースに接続可能であり、前記バッテリ側信号インタフェースに接続された場合に、前記バッテリパックとの間で信号の出力又は入力ができるようを出力又は入力可能に構成された充電器側信号インタフェースと、
前記充電器側信号インタフェースに接続され、前記充電器側信号インタフェースと信号の入出力が可能に構成された充電器側制御部と、
商用電源に接続可能であり、商用電源から入力されたＡＣ電力をＤＣ電力に変換して出力するよう構成されたＡＣ／ＤＣ変換部と、
前記ＡＣ／ＤＣ変換部から出力されたＤＣ電力を、前記バッテリパックの充電に適した電圧のＤＣ電力に変換するＤＣ／ＤＣ変換部と、
を有し、
前記充電器側信号インタフェースに接続され、前記充電器側信号インタフェースとの間で信号を出力又は入力可能に構成されるとともに、前記充電器制御部は、前記ＡＣ／ＤＣ変換部及び／又は前記ＤＣ／ＤＣ変換部に接続され、前記充電器側信号インタフェースから入力された信号に応じて前記ＡＣ／ＤＣ変換部及び／又は前記ＤＣ／ＤＣ変換部を制御するよう構成される充電器側制御部と、
を有し、
前記充電器側信号インタフェースは、前記バッテリ側信号インタフェースに接続可能な汎用インタフェースで構成されることを特徴とする充電器である。
上記態様の充電器によれば、汎用インタフェースで構成された充電器側信号インタフェースとバッテリパックの間の通信に応じてバッテリパックを充電することが可能となる。よって通信に必要となるインタフェースの数を抑えながら、高機能な充電器を提供することができる。
【００２２】
本発明の別の態様は、
前記バッテリパックと、
前記充電器と、
を有することを特徴とするシステムである。
【００２３】
なお、以上の構成要素の任意の組合せ、本発明の表現を方法などの間で変換したものもまた、本発明の態様として有効である。
【発明の効果】
【００２４】
本発明によれば、高機能なバッテリパック、電気機器本体、電気機器、充電器、及びシステムを提供することができる。
【図面の簡単な説明】
【００２５】
【図１】本発明の実施の形態１に係るバッテリパック１を、電力側ターミナルドア２３及び信号側ターミナルドア３３を開けた状態で前方右上から見た斜視図。
【図２】バッテリパック１を、電力側ターミナルドア２３及び信号側ターミナルドア３３を閉じた状態で前方右上から見た斜視図。
【図３】バッテリパック１を、電力側ターミナルドア２３を閉じて信号側ターミナルドア３３を開けた状態で前方右上から見た斜視図。
【図４】バッテリパック１を、電力側ターミナルドア２３及び信号側ターミナルドア３３を開けた状態で前方右下から見た斜視図。
【図５】バッテリパック１を、電力側ターミナルドア２３及び信号側ターミナルドア３３を閉じた状態で前方右下から見た斜視図。
【図６】バッテリパック１を、図４の状態に対してラッチ操作ボタン１２ａを押し込んだ状態で前方右下から見た斜視図。
【図７】バッテリパック１を、電力側ターミナルドア２３及び信号側ターミナルドア３３を閉じた状態で後方右下から見た斜視図。
【図８】バッテリパック１の分解斜視図。
【図９】バッテリパック１を電気機器本体７０に接続した電気機器の斜視図。
【図１０】バッテリパック１を電気機器本体７０に接続する過程を示す斜視図。
【図１１】電気機器本体７０のバッテリパック接続部７１近傍の拡大斜視図。
【図１２】２つのバッテリパック１を電気機器本体８０に接続した電気機器の斜視図。
【図１３】バッテリパック１の第１回路構成例を示す回路ブロック図。
【図１４】バッテリパック１の第２回路構成例を示す回路ブロック図。
【図１５】バッテリパック１の第３回路構成例を示す回路ブロック図。
【図１６】第２回路構成例のバッテリパック１と電気機器本体７０とを接続した電気機器の回路ブロック図。
【図１７】第２回路構成例のバッテリパック１と外部機器９０とをケーブル９１を介して接続したシステムの回路ブロック図。
【図１８】第２回路構成例のバッテリパック１と充電器１００とを接続したシステムの回路ブロック図。
【図１９】実施の形態１の変形例に関し、バッテリパック１Ａと充電器１００Ａとを接続したシステムの回路ブロック図。
【図２０】バッテリパック１Ａの信号側ターミナル３１ａに変換コネクタ１２０を接続した状態の回路ブロック図。
【図２１】本発明の実施の形態２に係るバッテリパック２を、電力側ターミナルドア２３及び信号側ターミナルドア３３を開けた状態で前方右上から見た斜視図。
【図２２】バッテリパック２を、電力側ターミナルドア２３及び信号側ターミナルドア３３を開けた状態で後方右下から見た斜視図。
【図２３】バッテリパック２の分解上方斜視図。
【図２４】バッテリパック２の分解下方斜視図。
【図２５】バッテリパック２を電気機器本体７０に接続した電気機器の斜視図。
【図２６】本発明の実施の形態３に係るバッテリパック３の側断面図。
【図２７】バッテリパック３の平断面図。
【図２８】図２７のＡ−Ａ断面図。
【図２９】図２７のＢ−Ｂ断面図。
【図３０】本発明の実施の形態４に係るバッテリパック４の側断面図。
【図３１】バッテリパック４の平断面図。
【図３２】図３０のＣ−Ｃ断面図。
【図３３】図３２のＤ部拡大図。
【発明を実施するための形態】
【００２６】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２７】
（実施の形態１）
図１〜図１７を参照し、本発明の実施の形態１を説明する。本実施の形態は、バッテリパック１、バッテリパック１を接続可能な電気機器本体７０及び電気機器本体８０、バッテリパック１を電気機器本体７０又は電気機器本体８０に接続した電気機器、バッテリパック１を充電する充電器１００、並びにバッテリパック１を外部機器９０に接続したシステムに関する。図１、図７及び図９により、本実施の形態における互いに直交する前後、上下、左右の各方向を定義する。
【００２８】
バッテリパック１の外殻部は、バッテリケース１１により構成される。バッテリケース１１は、前後、左右方向の外寸に対して上下方向の外寸が薄い略直方体である。バッテリケース１１は、ケース本体１２及び蓋体１３を互いに組み合わせたものである。ケース本体１２及び蓋体１３は、共に例えば樹脂成形体である。ケース本体１２の前面には、電力側スロット１２ｃ、通気口２２、信号側スロット１２ｄ、及び通気口３２が設けられる。
【００２９】
複数の電力側スロット１２ｃは、第１の複数のスロットを構成する。各々の電力側スロット１２ｃは、電力側ターミナル２１を前方に臨ませるための開口部である。信号側スロット１２ｄは、第２の単一のスロットを構成する。信号側スロット１２ｄは、信号側ターミナル３１を前方に臨ませるための開口部である。電力側スロット１２ｃ及び信号側スロット１２ｄは、共に前側（前後方向において電気機器本体に対向する側）を向くように配置される。通気口２２は、バッテリパック１を図示しない充電器に接続して充電する場合において、前記充電器が通気口２２に冷却風を供給するよう構成された充電器である場合、冷却風をバッテリケース１１内に吸い込むためのバッテリ側吸気口として作用する。その場合、通気口３２は、通気口２２からバッテリケース１１内に吸い込んだ冷却風をバッテリケース１１外に排出するためのバッテリ側排気口として作用する。信号側ターミナル３１に粉塵が侵入するのを防止するという観点から考えれば、前記充電器は、信号側ターミナル３１から遠い側にある通気口２２に冷却風を供給するよう構成することが望ましい。すなわち、バッテリ側吸気口である通気口２２から信号側ターミナル３１までの距離を、バッテリ側排気口である通気口３２から信号側ターミナル３１までの距離よりも大きくなるよう構成することが望ましい。これによれば、充電器の排気口からバッテリ側吸気口である通気口２２に供給される冷却風には粉塵が混じっていても、粉塵が信号側ターミナル３１に進入しにくくなるという効果がある。また通気口３２は、バッテリパック１を図示しない充電器に接続して充電する場合において、前記充電器が通気口３２に冷却風を供給するよう構成された充電器である場合、前記充電器から供給される冷却風をバッテリケース１１内に吸い込むためのバッテリ側吸気口として作用する。その場合、通気口２２は、通気口３２からバッテリケース１１内に吸い込んだ冷却風をバッテリケース１１外に排出するためのバッテリ側排気口として作用する。電力側ターミナル２１に粉塵が侵入するのを防止するという観点から考えれば、前記充電器は、電力側ターミナル２１から遠い側にある通気口３２に冷却風を供給するよう構成することが望ましい。すなわち、バッテリ側吸気口である通気口３２から電力側ターミナル２１までの距離を、バッテリ側排気口である通気口２２から電力側ターミナル２１までの距離よりも大きくなるよう構成することが望ましい。これによれば、充電器の排気口からバッテリ側吸気口である通気口３２に供給される冷却風には粉塵が混じっていても、粉塵が電力側ターミナル２１に進入しにくくなるという効果がある。
【００３０】
蓋体１３の上面の前端の左右角部には、それぞれネジ穴１３ａが設けられる。ネジ穴１３ａは、蓋体１３をケース本体１２にネジ止めするための貫通穴である。蓋体１３の左右両側面には、それぞれ案内部としての着脱レール１３ｂが設けられる。着脱レール１３ｂは、前後方向と平行に延び、バッテリパック１を電気機器本体７０（図９及び図１０）又は電気機器本体８０（図１２）にスライド装着する際のガイドとなる。着脱レール１３ｂは、バッテリパック１を電気機器本体に接続するときにバッテリパック１を所定の接続方向（ここでは前後方向）に案内する。
【００３１】
電力側ターミナルドア２３は、ケース本体１２の前下端部に回動可能に支持され、電力側スロット１２ｃ及び通気口２２を開閉可能に閉じる。信号側ターミナルドア３３は、ケース本体１２の前下端部に回動可能に支持され、信号側スロット１２ｄ及び通気口３２を開閉可能に閉じる。電力側ターミナルドア２３及び信号側ターミナルドア３３はそれぞれ、周知の係止機構により、開状態及び閉状態に係止可能である。電力側ターミナルドア２３及び信号側ターミナルドア３３は互いに独立して開閉可能であり、図２のように電力側ターミナルドア２３及び信号側ターミナルドア３３の双方を閉じることもでき、図３のように電力側ターミナルドア２３のみを閉じることもできる。図示は省略したが、信号側ターミナルドア３３のみを閉じることもできる。
【００３２】
電力側ターミナルドア２３には防水パッキン２４が設けられる。防水パッキン２４は、電力側ターミナルドア２３が閉じられた状態で、電力側スロット１２ｃ及び通気口２２の周囲を全周に渡って水密封止する。信号側ターミナルドア３３には防水パッキン３４が設けられる。防水パッキン３４は、信号側ターミナルドア３３が閉じられた状態で、信号側スロット１２ｄ及び通気口３２の周囲を全周に渡って水密封止する。
【００３３】
ケース本体１２の下面には、ラッチ操作ボタン１２ａが設けられる。ケース本体１２の左右両側面の各上端部には、ラッチ凸部１２ｂが着脱レール１３ｂに臨んで突出する。ラッチ凸部１２ｂは、バッテリパック１を電気機器本体７０（図９及び図１０）又は電気機器本体８０（図１２）に対して係止するために設けられる。係止を解除するには、ラッチ操作ボタン１２ａを下から上に押し上げ、ラッチ凸部１２ｂを上方にスライドさせればよい。
【００３４】
図８に示すように、ケース本体１２の上端部の前端の左右角部には、それぞれネジボス１２ｅが設けられる。ネジボス１２ｅは、蓋体１３のネジ穴１３ａと連通する。ネジ穴１３ａを貫通してネジボス１２ｅに螺着する図示しないネジにより、ケース本体１２と蓋体１３の前端部同士が互いに固定される。ケース本体１２及び蓋体１３の後端部は、図７に示すように一対のステンレスクリップ１４によって固定される。蓋体１３の下面には、風路仕切り壁１３ｃが設けられる。風路仕切り壁１３ｃは、バッテリセル組１５の長さ方向中間部から前方に延びる。風路仕切り壁１３ｃは、通気口３２から吸い込んだ冷却風が確実にバッテリセル組１５に流れるようにする役割を持つ。
【００３５】
ケース本体１２と蓋体１３とに囲まれる内部空間（以下、単に「内部空間」とも表記）に、バッテリセル組１５、基板１６、電力側ターミナル２１、及び信号側ターミナル３１等が収容保持される。バッテリセル組１５は、ここでは５本のバッテリセルを俵積みしたものであって、内部空間の後部に保持される。各バッテリセルは、ここではφ１４セルである。基板１６は、上下方向と垂直な状態でケース本体１２にネジ止め等により固定され、内部空間の前部に位置する。基板１６上の前端部に、電力側ターミナル２１及び信号側ターミナル３１が固定される。基板１６上には、内部配線用の電源ターミナル１７及び信号ターミナル１８が設けられる。２つの電源ターミナル１７には、バッテリセル組１５の正極端子及び負極端子からの導線がそれぞれ接続される。信号ターミナル１８には、バッテリセル組１５を構成する各バッテリセルの端子及び図示しないサーモセンサ（温度検出素子）からの導線が接続される。
【００３６】
電力側ターミナル２１は、バッテリ側電力インタフェースを構成する。電力側ターミナル２１は、バッテリパック１を接続した電気機器本体に電力を供給するよう構成される。電力側ターミナル２１の個数は、図示の３つに限定されず、２つ又は４つ以上であってもよい。互いに分離した複数の電力側ターミナル２１のうちの１つは、バッテリセル組１５の正極端子に接続され、もう１つは、バッテリセル組１５の負極端子に接続される。信号側ターミナル３１は、バッテリ側信号インタフェースを構成する。信号側ターミナル３１は、ＵＳＢ（Universal Serial Bus）ターミナル（ＵＳＢインタフェース）等の汎用インタフェースである。信号側ターミナル３１は、電源端子、グランド端子、及び２つの信号端子からなる合計４つの端子を一体的に配置したものである。
【００３７】
図９及び図１０に示すように、バッテリパック１は、電気機器本体７０の下端に設けられたバッテリパック接続部７１に着脱可能に接続される。図１０及び図１１に示すように、バッテリパック接続部７１は、着脱レール７２、は、例えば金属製であり、バッテリパック接続部７１に例えばネジ止め等により固定される。着脱レール７２、電源系ターミナル７４及び通信ターミナル７５を有する。着脱レール７２は、前後方向に延出し、バッテリパック１の着脱レール１３ｂと係合し、バッテリパック１の装着をガイドする。着脱レール７２には、ラッチ係合部７３が切欠として設けられる。ラッチ係合部７３は、バッテリパック１のラッチ凸部１２ｂと係合し、バッテリパック１をバッテリパック接続部７１に係止する。
【００３８】
電源系ターミナル７４は、本体側電力インタフェースを構成する。通信ターミナル７５は、本体側信号インタフェースを構成する。通信ターミナル７５は、ＵＳＢターミナル（ＵＳＢインタフェース）等の汎用インタフェースである。電源系ターミナル７４は、バッテリパック１の電力側ターミナル２１に接続される。通信ターミナル７５は、バッテリパック１の信号側ターミナル３１に接続され、バッテリパック１との間で信号の出力又は入力ができるように構成される。バッテリパック接続部７１には、一対のドア付勢リブ７６が設けられる。ドア付勢リブ７６は、それぞれ電力側ターミナルドア２３及び信号側ターミナルドア３３を開放状態に付勢し、電力側ターミナルドア２３及び信号側ターミナルドア３３が振動等により閉じる方向に回動することを抑制する。
【００３９】
図１２に示すように、２個のバッテリパック１を電気機器本体８０の下端に設けられたばバッテリパック接続部８１に接続することもできる。バッテリパック接続部８１は、図１０及び図１１に示すバッテリパック接続部７１の着脱レール７２、電源系ターミナル７４、通信ターミナル７５、及びドア付勢リブ７６の組を上下方向に２組有するものである。当該組を３組以上有する電気機器本体にバッテリパック１を３個以上接続することもできる。電気機器本体７０及び電気機器本体８０は、ここでは電動工具本体を例示したが、電動工具以外の電動作業機の本体であってもよいし、電動作業機以外の電気機器の本体であってもよい。
【００４０】
図１３は、バッテリパック１の第１回路構成例を示す回路ブロック図である。バッテリセル組１５の正極端子及び負極端子は、電力側ターミナル２１に接続される。マイクロコントローラ等のバッテリマネジメント部１４１、ＵＳＢコントロール部１４２、ＵＳＢ電源１４３、及び電池残量表示・操作部１４４は、図８の基板１６に設けられる。バッテリマネジメント部１４１は、バッテリ側制御部を構成する。バッテリマネジメント部１４１は、バッテリセル組１５から電力の供給を受ける。バッテリマネジメント部１４１は、ＵＳＢコントロール部１４２を介して信号側ターミナル３１との間で通信信号の入出力が可能に構成される。ＵＳＢ電源１４３は、信号側ターミナル３１に電力を出力可能である。電池残量表示・操作部１４４は、ユーザによる電池残量を表示するための操作を受け付け、当該操作に応じて電池残量を表示する部分である。
【００４１】
図１４は、バッテリパック１の第２回路構成例を示す回路ブロック図である。図１４において図１３と異なる点は、電力側ターミナル２１にＣ＋端子が追加され、Ｃ＋端子にヒューズ１４５が接続された点である。Ｃ＋端子は、バッテリ側充電インタフェースを構成する充電用の端子（充電器との接続用の端子）である。ヒューズ１４５は、充電電流が過大となった場合に充電電流の経路を遮断するために設けられる。
【００４２】
図１５は、バッテリパック１の第３回路構成例を示す回路ブロック図である。図１５において図１３と異なる点は、電力側ターミナル２１に異常報知用のＬＤ端子が追加された点である。ＬＤ端子は、バッテリマネジメント部１４１に接続される。バッテリマネジメント部１４１は、バッテリセル組１５を構成する各バッテリセルの電圧異常や温度異常を検出した場合に、ＬＤ端子を介して、バッテリパック１に接続された電気機器本体に異常を報知する。
【００４３】
図１６は、第２回路構成例のバッテリパック１と電気機器本体７０とを接続した電気機器の回路ブロック図である。電気機器本体７０の演算部７７は、本体側制御部を構成する。演算部７７は、インバータ回路７８を制御してモータ７９の駆動を制御する。演算部７７は、通信ターミナル７５に接続され、通信ターミナル７５と信号の入出力が可能に構成される。バッテリパック１のバッテリマネジメント部１４１と、電気機器本体７０の演算部７７とが、互いに接続された信号側ターミナル３１及び通信ターミナル７５を介して信号の送受信（通信）可能である。
【００４４】
図１７は、第２回路構成例のバッテリパック１と外部機器９０とをケーブル９１を介して接続したシステムの回路ブロック図である。外部機器９０は、パーソナルコンピュータ、タブレットコンピュータ及びスマートフォン等の汎用性のあるコンピュータである。ケーブル９１は、ＵＳＢケーブルであり、一端がバッテリパック１の信号側ターミナル３１に接続され、他端が外部機器９０に接続される。バッテリパック１のバッテリマネジメント部１４１は、外部機器９０との間で、信号側ターミナル３１及びケーブル９１を介して通信可能である。すなわち、信号側ターミナル３１は、外部機器９０に接続された場合に、外部機器９０と信号の入出力が可能に構成される。また、ＵＳＢ電源１４３は、信号側ターミナル３１及びケーブル９１を介して外部機器９０に充電用の電力を供給可能である。すなわち、信号側ターミナル３１は、外部機器９０に接続された場合に、外部機器９０に電力を供給するよう構成される。
【００４５】
図１８は、第２回路構成例のバッテリパック１と充電器１００とを接続したシステムの回路ブロック図である。充電器１００は、電源系ターミナル１０４及び通信ターミナル１０５を有する。電源系ターミナル１０４は、充電器側電力インタフェースを構成する。通信ターミナル１０５は、充電器側信号インタフェースを構成する。通信ターミナル１０５は、ＵＳＢターミナル（ＵＳＢインタフェース）等の汎用インタフェースである。電源系ターミナル１０４は、バッテリパック１の電力側ターミナル２１に接続される。通信ターミナル１０５は、バッテリパック１の信号側ターミナル３１に接続され、バッテリパック１との間で信号の出力又は入力ができるように構成される。充電器１００のＭＣＵ１０７は、充電器側制御部を構成し、通信ターミナル１０５に接続され、通信ターミナル１０５と信号の入出力が可能に構成される。整流平滑回路１０１、トランス１０２及び整流平滑回路１０３は、商用電源１１０に接続可能であり、商用電源１１０から入力されたＡＣ電力をＤＣ電力に変換して出力するよう構成される。定電流／定電圧制御回路１０８は、整流平滑回路１０１、トランス１０２及び整流平滑回路１０３から出力されたＤＣ電力を、バッテリパック１の充電に適した電圧のＤＣ電力に変換する。整流平滑回路１０１、トランス１０２及び整流平滑回路１０３は、ＡＣ／ＤＣ変換部を構成する。定電流／定電圧制御回路１０８は、ＤＣ／ＤＣ変換部を構成する。ＭＣＵ１０７は、前記ＡＣ／ＤＣ変換部及び／又は前記ＤＣ／ＤＣ変換部に接続され、通信ターミナル１０５から入力された信号に応じて、前記ＡＣ／ＤＣ変換部及び／又は前記ＤＣ／ＤＣ変換部を制御するよう構成される。ＭＣＵ１０７は、バッテリパック１に冷却風を供給するファンを駆動するファンモータ１０６を制御する。
【００４６】
本実施の形態によれば、下記の効果を奏することができる。
【００４７】
(1) バッテリパック１が汎用インタフェースである信号側ターミナル３１を有するため、信号側ターミナル３１を介して外部からバッテリパック１との信号の入出力が可能となる。例えば、例えばバッテリパック１と電気機器本体７０又は電気機器本体８０との通信や、バッテリパック１と電気機器本体とは別の外部機器９０との通信が可能となる。よって、高機能なバッテリパック１及びシステムを提供することができる。また、バッテリパック１と外部機器９０との通信により、外部機器９０によってバッテリパック１から情報を引き出したり、外部機器９０によってバッテリパック１をカスタマイズしたりすることも可能となる。また、バッテリパック１から信号側ターミナル３１を介して外部機器９０への電力の供給が可能なため、商用電源のない場所で便利である。
【００４８】
(2) 信号側ターミナル３１として最も普及している汎用インタフェースの一つであるＵＳＢインタフェースを用いるため、高機能かつ高汎用性のバッテリパック１を提供することができる。
【００４９】
(3) バッテリケース１１の開口部である電力側スロット１２ｃ、通気口２２、信号側スロット１２ｄ、及び通気口３２が共に前側を向くため、バッテリパック１を電気機器本体から外した時に、電力側スロット１２ｃ、通気口２２、信号側スロット１２ｄ、及び通気口３２を横向きにして置くことができ、電力側ターミナル２１及び信号側ターミナル３１に雨水や粉塵が入りにくく、また通気口２２及び通気口３２からバッテリケース１１内に雨水や粉塵が入ることを抑制できる。よって、高機能かつ高耐久性のバッテリパック１を提供できる。さらに、電力側ターミナルドア２３及び信号側ターミナルドア３３により電力側スロット１２ｃ、通気口２２、信号側スロット１２ｄ、及び通気口３２を水密に閉じることができるため、雨水や粉塵の影響をより効果的に抑制できる。
【００５０】
(4) バッテリケース１１の下面に設けたラッチ操作ボタン１２ａは、バッテリケース１１の外郭から突出しないため、図１２のように複数のバッテリパック１を電気機器本体８０に装着する場合の大型化を抑制できる。
【００５１】
(5) 電気機器本体７０は、汎用インタフェースである通信ターミナル７５を有するため、通信ターミナル７５を介してバッテリパック１との通信が可能となる。よって、高機能な電気機器本体７０並びに電気機器を提供することができる。
【００５２】
図１９は、実施の形態１の変形例に関し、バッテリパック１Ａと充電器１００Ａとを接続したシステムの回路ブロック図である。充電器１００Ａは、図１８の充電器１００の通信ターミナル１０５が非汎用の通信ターミナル１０５ａに替わったものである。バッテリパック１Ａは、図１８のバッテリパック１の信号側ターミナル３１が第１のバッテリ側信号インタフェースとしての非汎用の信号ターミナル３１ａに替わり、ＵＳＢコントロール部１４２が通信コントロール部１４２ａに替わり、ＵＳＢ電源１４３が通信用電源１４３ａに替わったものである。本変形例では、信号ターミナル３１ａ及び通信ターミナル１０５ａが汎用インタフェースでない点で汎用性は落ちるものの、その他の点では実施の形態１と同様の効果を奏することができる。図１６に示す電気機器本体７０の通信ターミナル７５を、信号側ターミナル３１ａに接続可能な非汎用の通信ターミナルに替えてもよい。
【００５３】
図２０は、バッテリパック１Ａの信号側ターミナル３１ａに変換コネクタ１２０を接続した状態の回路ブロック図である。第２のバッテリ側信号インタフェースを構成する変換コネクタ１２０は、信号側ターミナル３１ａに接続可能なターミナル１２５を有し、信号側ターミナル３１ａをＵＳＢターミナル（ＵＳＢインタフェース）等の汎用インタフェース１２１に変換するコネクタである。変換コネクタ１２０は、内部に電圧変換回路１２２及び信号制御部１２３を有する。変換コネクタ１２０を用いることで、バッテリパック１Ａの汎用性を高められる。
【００５４】
（実施の形態２）
図２１〜図２５を参照し、本発明の実施の形態２に係るバッテリパック２を説明する。バッテリパック２は、実施の形態１と異なり、蓋体１３の上面に残量表示操作部１３ｄ及び残量表示部１３ｅを備える。残量表示操作部１３ｄが押されると、残量表示操作部１３ｄから下方に延びるシャフト１３ｆ（図２４）が基板１６上の残量表示ボタン３７を押し、電池残量に応じた数の基板１６上の残量表示ＬＥＤ３９が点灯する。残量表示ＬＥＤ３９の点灯は、バッテリマネジメント部１４１が制御する。残量表示ＬＥＤ３９は、ここでは４つ設けられる。隣り合う残量表示ＬＥＤ３９の間と隣り合う残量表示部１３ｅの間とを仕切るように仕切り壁部１３ｇが設けられる。
【００５５】
ケース本体１２及び蓋体１３の後端部は、図２１、図２２及び図２５に示すように着脱可能な金属製プロテクタ１９で覆われる。金属製プロテクタ１９は、例えば絞りプレス品である。バッテリパック２のその他の点は、バッテリパック１と同様である。本実施の形態のバッテリパック２は、電気機器本体７０に装着した際にバッテリパック接続部７１から突出する部分を金属製プロテクタ１９で覆う構成のため、耐久性が高められる。
【００５６】
（実施の形態３）
図２６〜図２９を参照し、本発明の実施の形態３に係るバッテリパック３を説明する。バッテリパック３のバッテリセル１５ａはラミネートセルであって、５つのバッテリセル１５ａが上下方向に積層されている。各セル端子４１は、スポット溶接によりバッテリセル１５ａの正極端子又は負極端子に接続され、はんだ付けにより導線と接続される。正極端子４２は、スポット溶接によりバッテリセル１５ａ（直列接続の最も電位の高い側のバッテリセル１５ａ）の正極端子に接続され、はんだ付けにより導線と接続される。負極端子４３は、スポット溶接によりバッテリセル１５ａ（直列接続の最も電位の低い側のバッテリセル１５ａ）の負極端子に接続され、はんだ付けにより導線と接続される。サーモセンサ４４は、バッテリセル１５ａの側面に設けられる。サーモセンサ４４はシリコンによって覆われる。各導線の端部には、正極コネクタ４５、負極コネクタ４６、センサコネクタ４７が設けられる。隣り合うセル端子４１間、セル端子４１と正極端子４２との間、及びセル端子４１と負極端子４３との間は、絶縁体５１によって仕切られる。バッテリセル１５ａの積層体は、絶縁性の緩衝材４８によって覆われ、緩衝材４８の外側が金属保護プレート４９によって覆われる。バッテリパック３のその他の点は、バッテリパック１と同様である。本実施の形態のバッテリパック３は、バッテリセル１５ａの積層体を緩衝材４８を介して金属保護プレート４９によって覆う構成のため、耐久性が高められる。
【００５７】
（実施の形態４）
図３０〜図３３を参照し、本発明の実施の形態４に係るバッテリパック４を説明する。バッテリパック４のバッテリセル１５ｂは、φ１４セルである。５つのバッテリセル１５ｂが俵積みされている。各セル端子６１は、スポット溶接によりバッテリセル１５ｂの正極端子又は負極端子に接続され、はんだ付けにより導線５７と接続される。隣り合うセル端子６１間は、樹脂成形体５３のリブ５３ｂによって仕切られる。俵積みされたバッテリセル１５ｂの周囲は、樹脂成形体５３で覆われる。樹脂成形体５３の外側は、金属板５４によって覆われる。金属板５４は、締結部品５６によって、バッテリセル１５ｂの周囲を覆った状態で固定される。図３３に示すように、樹脂成形体５３の外側に延出するセル端子６１と金属板５４との間は、絶縁体５５により仕切られる。金属板５４は、リブ１２ｆ、１３ｈにより保持される。バッテリパック４のその他の点は、バッテリパック３と同様である。本実施の形態のバッテリパック４は、俵積みされたバッテリセル１５ｂを樹脂成形体５３を介して金属板５４によって覆う構成のため、耐久性が高められる。
【００５８】
以上、実施の形態を例に本発明を説明したが、実施の形態の各構成要素や各処理プロセスには請求項に記載の範囲で種々の変形が可能であることは当業者に理解されるところである。
【符号の説明】
【００５９】
１〜４  バッテリパック、
１１  バッテリケース、１２  ケース本体、１２ａ  ラッチ操作ボタン、１２ｂ  ラッチ凸部、１２ｃ  電力側スロット、１２ｄ  信号側スロット、１２ｅ  ネジボス、１２ｆ  リブ、１３  蓋体、１３ａ  ネジ穴、１３ｂ  着脱レール、１３ｃ  風路仕切り壁、１３ｄ  残量表示操作部、１３ｅ  残量表示部、１３ｆ  シャフト、１３ｇ  仕切り壁部、１３ｈ  リブ、１４  ステンレスクリップ、１５  バッテリセル組、１５ａ  バッテリセル、１５ｂ  バッテリセル、１６  基板、１７  電源ターミナル、１８  信号ターミナル、１９  金属製プロテクタ、
２１  電力側ターミナル（バッテリ側電力インタフェース）、２２  通気口、２３  電力側ターミナルドア、２４  防水パッキン、
３１  信号側ターミナル（バッテリ側信号インタフェース）、３２  通気口、３３  信号側ターミナルドア、３４  防水パッキン、３７  残量表示ボタン、３９  残量表示ＬＥＤ、
４１  セル端子、４２  正極端子、４３  負極端子、４４  サーモセンサ、４５  正極コネクタ、４６  負極コネクタ、４７  センサコネクタ、４８  緩衝材、４９  金属保護プレート、５１  絶縁体、５３  樹脂成形体、５３ａ  凸部、５３ｂ  リブ、５４  金属板、５５  絶縁体、５６  締結部品、５７  導線、６０  センサ端子、６１  セル端子、
７０  電気機器本体、７１  バッテリパック接続部、７２  着脱レール、７３  ラッチ係合部、７４  電源系ターミナル、７５  通信ターミナル、７６  ドア付勢リブ、７７  演算部（制御部）、７８  インバータ回路、７９  モータ、
８０  電気機器本体、８１  バッテリパック接続部、
９０  外部機器、９１  ケーブル。
【図１】
2020166988.tif 000003
【図２】
2020166988.tif 000004
【図３】
2020166988.tif 000005
【図４】
2020166988.tif 000006
【図５】
2020166988.tif 000007
【図６】
2020166988.tif 000008
【図７】
2020166988.tif 000009
【図８】
2020166988.tif 000010
【図９】
2020166988.tif 000011
【図１０】
2020166988.tif 000012
【図１１】
2020166988.tif 000013
【図１２】
2020166988.tif 000014
【図１３】
2020166988.tif 000015
【図１４】
2020166988.tif 000016
【図１５】
2020166988.tif 000017
【図１６】
2020166988.tif 000018
【図１７】
2020166988.tif 000019
【図１８】
2020166988.tif 000020
【図１９】
2020166988.tif 000021
【図２０】
2020166988.tif 000022
【図２１】
2020166988.tif 000023
【図２２】
2020166988.tif 000024
【図２３】
2020166988.tif 000025
【図２４】
2020166988.tif 000026
【図２５】
2020166988.tif 000027
【図２６】
2020166988.tif 000028
【図２７】
2020166988.tif 000029
【図２８】
2020166988.tif 000030
【図２９】
2020166988.tif 000031
【図３０】
2020166988.tif 000032
【図３１】
2020166988.tif 000033
【図３２】
2020166988.tif 000034
【図３３】
2020166988.tif 000035